(57)【要約】【課題】縦搬送チェーン５６とフィードチェーン５との間で刈取穀稈の株元部の搬送を中継するための補助搬送チェーン５７を有しているコンバインにおいて、補助搬送チェーン５７に対峙する挟持ガイド部材６０とこれを支持する支持フレーム４５との組み付け精度をさほど厳しく管理しなくても済むようにする。【解決手段】  刈取部３におけるフィードチェーン５の前方に、前後に長い支持フレーム４５を配置する。支持フレーム４５の後端部には、補助搬送チェーン５７に対峙して刈取穀稈の株元部を補助搬送チェーン５７と共に挟持するための挟持ガイド部材６０を、その対峙姿勢を補助搬送チェーン５７における刈取穀稈の反双方向と交差する上下方向に調節可能となるように取り付ける。【選択図】図１０
2008000017.tif 000002
【特許請求の範囲】
【請求項１】
フィードチェーン付きの脱穀部が搭載された走行機体と、前記走行機体の前部に装着された刈取部とを備えており、前記刈取部は、刈取穀稈の株元部を後ろ斜め上方に搬送するための縦搬送装置と、前記縦搬送装置と前記フィードチェーンとの間で刈取穀稈の株元部の搬送を中継するための補助搬送装置とを有しているコンバインであって、
前記刈取部における前記フィードチェーンの前方には、前後に長い支持フレームが配置されており、
前記支持フレームの後端部には、前記補助搬送装置に対峙して刈取穀稈の株元部を前記補助搬送装置と共に挟持するための挟持ガイド部材が、その対峙姿勢を前記補助搬送装置における刈取穀稈の搬送方向と交差する方向に移動調節可能となるように取り付けられていることを特徴とするコンバイン。
【請求項２】
前記補助搬送装置は、前記縦搬送装置から前記フィードチェーンに向けて周回するように構成された補助搬送チェーンであり、
前記挟持ガイド部材は、前記補助搬送装置に対峙したガイド杆と、前記ガイド杆を前記補助搬送装置に対して遠近動可能に支持するガイドホルダとを備えており、
前記挟持ガイド部材の移動調節ストロークは、前記ガイド杆が前記補助搬送チェーンにおける一対の単位歯板の間に収まる大きさに設定されていることを特徴とする請求項１に記載したコンバイン。
【請求項３】
前記支持フレームの後端部には、前記ガイドホルダを取り付けるための受けブラケットが固着されており、前記受けブラケット及び前記ガイドホルダにおける前記補助搬送チェーン寄りの箇所は、引っ掛け式の係止手段を介して連結されている一方、前記受けブラケット及び前記ガイドホルダにおける前記補助搬送チェーンから遠い箇所は、前記ガイドホルダに形成された上下長手の案内溝穴に沿って相対的に移動可能な締結手段にて連結されていることを特徴とする請求項２に記載したコンバイン。
【発明の詳細な説明】
【技術分野】
【０００１】
本願発明は、圃場の穀稈を連続的に刈り取るための刈取部が走行機体の前部に装着されたコンバインに関するものである。
【背景技術】
【０００２】
従来から、この種のコンバインにおいては、フィードチェーン付きの脱穀部を搭載した走行機体の前部に、穀稈引起装置、刈刃装置、株元搬送装置、縦搬送装置、及び補助搬送装置等からなる刈取部が昇降用アクチュエータにて昇降調節可能に装着されている。
【０００３】
刈取部の各装置のうち縦搬送装置は、株元搬送装置から送られてきた刈取穀稈の株元部をフィードチェーンに向けて後ろ斜め上方に搬送するためのものである。補助搬送装置は、縦搬送装置とフィードチェーンとの間で刈取穀稈の株元部の搬送を中継する（搬送を補助する）ためのものである。補助搬送装置と対峙する箇所には、刈取穀稈の株元部を補助搬送装置と共に挟持するための挟持ガイド部材が配置されている。
【０００４】
縦搬送装置にて送られてきた刈取穀稈の株元部は、補助搬送装置及び挟持ガイド部材にて挟持搬送され、フィードチェーンの始端部に受け継がれる。そして、フィードチェーンに受け継ぎ搬送された刈取穀稈の穂先部が脱穀部の扱胴にて脱穀処理されるのである。
【０００５】
特許文献１には、コンバインにおける挟持ガイド部材の一例が開示されている。この例では、刈取部の前部のうちフィードチェーン寄りの一側方に位置した縦フレームの長手中途部に、後ろ向きに延びる支持フレームが設けられており、この支持フレームの後端上部に、挟持ガイド部材が取り付けられている。
【０００６】
挟持ガイド部材は、補助搬送装置に対峙したガイド杆と、ガイド杆を補助搬送装置に対して遠近動可能に支持するガイドホルダとを備えている。このガイドホルダが、支持フレームの後端上部に固着された受けブラケットに、例えばボルト等にて着脱可能に締結（固定）されている。
【特許文献１】特開２００２−５８３１９号公報
【発明の開示】
【発明が解決しようとする課題】
【０００７】
しかし、特許文献１の構成では、挟持ガイド部材が例えばボルト等にて締結する固定式のものであるから、受けブラケットやガイドホルダに形成される締結用の穴位置が予定通りに仕上がっていないと、コンバインの組み立て時に、受けブラケットとガイドホルダとががたついて、補助搬送装置に対する挟持ガイド部材の対峙姿勢や対峙間隔が適正な状態からずれるという不具合が生ずる。
【０００８】
このため、かかる不具合が生じないように、受けブラケットやガイドホルダの穴位置精度を厳しく管理して製造せざるを得ず、製品歩留まりを向上させるのが難しいという問題があった。
【０００９】
そこで、本願発明は、上記の問題を解消したコンバインを提供することを技術的課題とするものである。
【課題を解決するための手段】
【００１０】
この技術的課題を解決するため、請求項１に係る発明は、フィードチェーン付きの脱穀部が搭載された走行機体と、前記走行機体の前部に装着された刈取部とを備えており、前記刈取部は、刈取穀稈の株元部を後ろ斜め上方に搬送するための縦搬送装置と、前記縦搬送装置と前記フィードチェーンとの間で刈取穀稈の株元部の搬送を中継するための補助搬送装置とを有しているコンバインであって、前記刈取部における前記フィードチェーンの前方には、前後に長い支持フレームが配置されており、前記支持フレームの後端部には、前記補助搬送装置に対峙して刈取穀稈の株元部を前記補助搬送装置と共に挟持するための挟持ガイド部材が、その対峙姿勢を前記補助搬送装置における刈取穀稈の搬送方向と交差する方向に移動調節可能となるように取り付けられているというものである。
【００１１】
請求項２に係る発明は、請求項１に記載したコンバインにおいて、前記補助搬送装置は、前記縦搬送装置から前記フィードチェーンに向けて周回するように構成された補助搬送チェーンであり、前記挟持ガイド部材は、前記補助搬送装置に対峙したガイド杆と、前記ガイド杆を前記補助搬送装置に対して遠近動可能に支持するガイドホルダとを備えており、前記挟持ガイド部材の移動調節ストロークは、前記ガイド杆が前記補助搬送チェーンにおける一対の単位歯板の間に収まる大きさに設定されているというものである。
【００１２】
請求項３に係る発明は、請求項２に記載したコンバインにおいて、前記支持フレームの後端部には、前記ガイドホルダを取り付けるための受けブラケットが固着されており、前記受けブラケット及び前記ガイドホルダにおける前記補助搬送チェーン寄りの箇所は、引っ掛け式の係止手段を介して連結されている一方、前記受けブラケット及び前記ガイドホルダにおける前記補助搬送チェーンから遠い箇所は、前記ガイドホルダに形成された上下長手の案内溝穴に沿って相対的に移動可能な締結手段にて連結されているというものである。
【発明の効果】
【００１３】
請求項１の発明によると、刈取部におけるフィードチェーンの前方には、前後に長い支持フレームが配置されており、前記支持フレームの後端部には、補助搬送装置に対峙して刈取穀稈の株元部を前記補助搬送装置と共に挟持するための挟持ガイド部材が、その対峙姿勢を前記補助搬送装置における刈取穀稈の搬送方向と交差する方向に調節可能となるように取り付けられているから、例えば前記支持フレームに対する前記挟持ガイド部材の組み付け誤差がある場合であっても、前記挟持ガイド部材の前記補助搬送装置に対する対峙位置を、前記補助搬送装置による搬送方向と交差する方向に沿って適正な状態に調節できる。このため、前記挟持ガイド部材と前記補助搬送装置とによる刈取穀稈の挟持能力を高い状態に維持できるという効果を奏する。
【００１４】
しかも、前記支持フレームに対する前記挟持ガイド部材の組み付け精度をさほど厳しく管理する必要がなくなるから、製品歩留まりの向上に寄与できるという効果も奏する。
【００１５】
請求項２の発明によると、前記補助搬送装置は、前記縦搬送装置から前記フィードチェーンに向けて周回するように構成された補助搬送チェーンであり、前記挟持ガイド部材は、前記補助搬送装置に対峙したガイド杆と、前記ガイド杆を前記補助搬送装置に対して遠近動可能に支持するガイドホルダとを備えており、前記挟持ガイド部材の移動調節ストロークは、前記ガイド杆が前記補助搬送チェーンにおける一対の単位歯板の間に収まる大きさに設定されている。
【００１６】
このため、前記挟持ガイド部材を、前記補助搬送チェーンに対して、挟持能力が効果的に発揮される対峙位置に簡単に移動調節でき、前記挟持ガイド部材の位置調節作業がし易いという効果を奏する。
【００１７】
請求項３の発明では、前記支持フレームの後端部に固着された受けブラケットに前記ガイドホルダを取り付けるに際して、前記受けブラケット及び前記ガイドホルダにおける前記補助搬送装置寄りの箇所は、引っ掛け式の係止手段を介して連結されている。一方、前記受けブラケット及び前記ガイドホルダにおける前記補助搬送装置から遠い箇所は、前記ガイドホルダに形成された上下長手の案内溝穴に沿って相対的に移動可能な締結手段にて連結されている。
【００１８】
かかる構成を採用すると、前記受けブラケット及び前記ガイドホルダにおける前記補助搬送装置寄りの箇所は、抜け止め用のピンやナットを使わなくてもワンタッチ的に着脱できる。
【００１９】
また、前記ガイドホルダひいては前記挟持ガイド部材の姿勢調節は、前記締結手段を緩めた状態で前記ガイドホルダを前記係止手段回りに上下回動させて、前記締結手段を前記案内溝穴に沿って相対的に移動させればよい。
【００２０】
従って、前記挟持ガイド部材の前記ガイドホルダが前記支持フレームの前記受けブラケットに上下方向に姿勢調節可能に取り付けられるものでありながら、前記ガイドホルダを前記受けブラケットに着脱・位置調節する手間を軽減でき、オペレータの作業負担が少なくて取り扱いがし易いという効果を奏する。
【発明を実施するための最良の形態】
【００２１】
以下に、本願発明を具体化した実施形態を図面（図１〜図１０）に基づいて説明する。図１はコンバインの側面図、図２はコンバインの平面図、図３は刈取部の概略側面図、図４は刈取部の概略平面図、図５は刈取部の支持構造を示す概略正面図、図６は刈取部の支持構造を示す概略平面図、図７は挟持ガイド部材と補助搬送チェーンとの平面図、図８はガイドホルダの一部切り欠き平面図、図９は補助搬送チェーンと挟持ガイド部材との一部切り欠き側面図、図１０のうち（ａ）はガイド杆が上限位置にあるときの挟持ガイド部材と補助搬送チェーンとの側面図、（ｂ）はガイド杆が下限位置にあるときの挟持ガイド部材と補助搬送チェーンとの側面図である。
【００２２】
（１）．コンバインの概略構造
はじめに、図１〜図４を参照しながら、コンバインの概略構造について説明する。
【００２３】
実施形態における４条刈り用のコンバインは、左右一対の走行クローラ２にて支持された走行機体１を備えている。走行機体１の前部には、圃場に植立した穀稈を刈り取りながら取り込む刈取部３が単動式の油圧シリンダ３６（図３参照）にて昇降調節可能に装着されている。走行機体１には、フィードチェーン５付きの脱穀部４と、脱穀後の穀粒を貯留するための穀粒タンク６とが横並び状に搭載されている。本実施形態では、脱穀部４が走行機体１の進行方向左側に、穀粒タンク６が走行機体１の進行方向右側に配置されている。刈取部３と穀粒タンク６との間には、走行機体１の向き及び速度を変更操作するための操向丸ハンドル９や運転座席１０等を有する運転部８が設けられている。運転部８の下方には、動力源としてのエンジン１１が配置されており、エンジン１１の前方には、当該エンジン１１からの動力を適宜変速して左右両走行クローラ２に伝達するためのミッションケース１２が配置されている。
【００２４】
刈取部３は、バリカン式の刈刃装置１３、４条分の穀稈引起装置１４、穀稈搬送装置１５及び分草体１６を備えている。刈刃装置１３は、刈取部３の骨組を構成する分草フレーム３９の下方に配置されている。穀稈引起装置１４は分草フレーム３９の上方に配置されている。穀稈搬送装置１５は穀稈引起装置１４とフィードチェーン５の前端部との間に配置されている。分草体１６は穀稈引起装置１４の下部前方に突設されている。刈取部３にて刈り取りられた刈取穀稈は、フィードチェーン５に受け継ぎ搬送され、脱穀部４にて脱穀処理される。
【００２５】
脱穀部４の扱室には、刈取穀稈を脱穀処理するための扱胴１７が内蔵されている。扱胴１７の下方には、扱網やチャフシーブ等による揺動選別を行う揺動選別機構（図示せず）と、唐箕ファンによる風選別を行う風選別機構（図示せず）とが配置されている。これら両選別機構による選別を経て、走行機体１の下部にある一番受け樋（図示せず）に集められた穀粒は、一番コンベヤ及び揚穀コンベヤ（共に図示せず）を介して穀粒タンク６に集積される。藁屑は、脱穀部４の後部に配置された吸引ファン（図示せず）に吸い込まれたのち、走行機体１の後部に形成された排出口から走行機体１の外部へ排出される。穀粒タンク６内の穀粒は、排出オーガ７を介して走行機体１の外部に搬出される。
【００２６】
なお、フィードチェーン５の後端から排稈チェーン１８（図２参照）に受け継がれた排稈は、長い状態で走行機体１の後方に排出されるか、若しくは排稈カッタ（図示せず）にて適宜長さに短く切断されたのち、走行機体１の後方に排出される。
【００２７】
（２）．刈取部の構造
次に、主として図３〜図６を参照しながら、刈取部の構造について説明する。
【００２８】
刈取部３は、その内部の各装置１３〜１５やエンジン１１及びミッションケース１２等のメンテナンスをし易くするために、機体フレーム（シャーシ）２０の前部一側方（実施形態では前部左側）に立設された鉛直支軸２１を中心にして水平開閉回動可能に構成されている（図２及び図６の二点鎖線状態参照）。
【００２９】
この場合、鉛直支軸２１の上端部は先細段付き状に形成されており、当該部位に筒型のホルダ部材２２が上方から水平回動可能に被嵌されている。鉛直支軸２１における段付き部２１ａの外周面には、ホルダ部材２２を下向きずれ不能に支持するフランジ２１ｂが設けられている。なお、鉛直支軸２１と機体フレーム２０との間には、側面視後傾状の補強プレート２４（つっかい軸）が溶接にて固着されている。
【００３０】
ホルダ部材２２には、横長の刈取入力パイプ２３がその軸心回り（上下方向）に回動可能な状態で軸支されている。実施形態の刈取入力パイプ２３は、平面視で鉛直支軸２１より前方にオフセットして配置されている（図３、図４及び図６参照）。
【００３１】
ホルダ部材２２は、鉛直支軸２１の上端部に被嵌された基部から外向きに突出した上向き開口半割り状の下ホルダ軸受け部２２ａと、この下ホルダ軸受け部２２ａにボルトにて固定された下向き開口半割り状の上ホルダ軸受け部２２ｂとを備えている。これら上下のホルダ軸受け部２２ａ，２２ｂが刈取入力パイプ２３の基端部（鉛直支軸２１に近い側の端部）を回動可能に軸支している。
【００３２】
刈取入力パイプ２３の先端部（鉛直支軸２１とは反対側の端部）には、鋳鉄製等の軸受け部材２５が設けられている一方、機体フレーム２０の前部のうち左右中央寄りの部位には、軸受け部材２５の下方に位置する箇所に、上向きに突出した支柱部材２６が立設されている。
【００３３】
軸受け部材２５は、支柱部材２６の上板にボルト締結された上向き開口半割り状の下軸受け部２５ａと、この下軸受け部２５ａに横向きのボルト軸２７を介して上下回動可能に取り付けられた上軸受け部２５ｂとを備えている。
【００３４】
上軸受け部２５ｂは、運転部８に設けられた刈取ロックレバー（図示せず）の操作にてボルト軸２７回りに上下回動するように構成されている。また、上軸受け部２５ｂは、図示しないばね手段の弾性付勢力にて、刈取入力パイプ２３の先端部を下軸受け部２５ａと共に挟持し得る下向きの回動方向に常時付勢されている。
【００３５】
刈取ロックレバーの操作にて上軸受け部２５ｂをボルト軸２７回りに下向き回動させると、刈取入力パイプ２３の先端部が上下の軸受け部２５ａ，２５ｂにて回動可能に把持（軸支）され、刈取部３が閉じ状態に保持される。
【００３６】
逆に、上軸受け部２５ｂをボルト軸２７回りに上向き回動させると、刈取入力パイプ２３の先端部の把持が解除され、刈取部３が鉛直支軸２１を回動中心として水平方向に開き回動可能な状態になるのである。
【００３７】
刈取入力パイプ２３には、これと同心姿勢の刈取入力軸２８が内蔵されている。刈取入力軸２８の先端部は、刈取入力パイプ２３の先端から外向き（左右中央側）に突出しており、この突出端部に刈取入力プーリ２９が固着されている。刈取入力プーリ２９とミッションケース１２の動力伝達軸に固着されたプーリ（図示せず）とには、動力伝達用のベルト３０が巻き掛けられている。
【００３８】
エンジン１１からミッションケース１２を経由した動力は、ミッションケース１２の動力伝達軸から、プーリ２９及びベルト３０伝動系を介して、刈取入力パイプ２３内の刈取入力軸２８に伝達され、この刈取入力軸２８から刈取前処理装置３の各装置１３〜１５に動力伝達される。
【００３９】
刈取入力パイプ２３の中途部と鉛直支軸２１の下端部との間には、刈取入力パイプ２３と鉛直支軸２１との剛性を高めるための筋交いアーム３１が配置されている。
【００４０】
筋交いアーム３１は、鉛直支軸２１の下端部から離れるに連れて高さが高くなるように傾斜しており、上端部は刈取入力パイプ２３の中途部に固定されている。筋交いアーム３１の下端部には、平面視で左右外向きコ字状のブラケット部材３２が設けられており、このブラケット部材３２が鉛直支軸２１に対して半径外側から嵌っている。
【００４１】
なお、ブラケット部材３２の内部には、鉛直支軸２１の外周面に当たるスライダ（図示せず）が設けられており、このスライダの存在にて、ブラケット部材３２は鉛直支軸２１の外周面に沿ってスムーズに滑り回動（摺動回動）できる。
【００４２】
刈取入力パイプ２３における先端部寄りの箇所には、当該刈取入力パイプ２３に固着されたギヤボックス３３を介して、前方斜め下向きに延びる縦伝動パイプ３４が取り付けられている。従って、刈取入力パイプ２３と縦伝動パイプ３４とは鉛直支軸２１回りに水平回動可能になっており、且つ、縦伝動パイプ３４は刈取入力パイプ２３を中心にして上下方向に回動可能になっている。
【００４３】
縦伝動パイプ３４の長手中途部には軸受けリブ３５が下向きに突設されており（図３参照）、この軸受けリブ３５には、油圧シリンダ３６のピストンロッドが左右横長のピン３７にて連結されている。詳細は図示していないが、油圧シリンダ３６の後端部は機体フレーム２０にピンにて回動可能に連結されている。
【００４４】
なお、刈取部３を開き回動させる場合は、前提の作業として、油圧シリンダ３６と縦伝動パイプ３４とを連結しているピン３７を抜き外すと共に、ミッションケース１２側のプーリと刈取入力プーリ２９とに巻き掛けられたベルト３０を外すことになる。
【００４５】
縦伝動パイプ３４の下端に設けられた横長の横伝動パイプ３８（図３参照）には、前向きに突出した複数本の分草フレーム３９が横伝動パイプ３８の長手方向に沿って適宜間隔で並設されている。これら分草フレーム３９の下方にバリカン式の刈刃装置１３が設けられている。各分草フレーム３９の先端部には分草体１６が突設されている。
【００４６】
図３に詳細に示すように、横伝動パイプ３８の両端部には、縦フレームとしての縦状パイプ４０が前方斜め上向きに延びるように立設されており、これら両縦状パイプ４０間には、横長の引起伝動パイプ４１が横架されている。
【００４７】
引起伝動パイプ４１には、刈り取り条数に合わせた数（本実施形態では４本）の引起駆動ケース４２が下向きに突設されている。これら引起駆動ケース４２は、引起伝動パイプ４１の長手方向（走行機体１の横幅方向）に沿って適宜間隔で並んでいる。
【００４８】
なお、引起伝動パイプ４１の中途部と縦伝動パイプ３４の上端部とは、上向き凸の湾曲状に形成された湾曲フレーム４３にて連結されている。
【００４９】
各引起駆動ケース４２の下方には、圃場に植立した未刈穀稈を引き起こすための穀稈引起装置１４が配置されている。穀稈引起装置１４は、分草体１６を介して取り込んだ未刈穀稈を起立させる引起タインを有する縦長の引起ケース５０と、当該各引起ケース５０の後方下部に配置されたスターホイル５１及び掻き込みベルト５２とを備えている。
【００５０】
引起ケース５０の上端部は引起駆動ケース４２の下端部に取り付けられており、引起ケース５０の下端部は、その近傍に位置する分草フレーム３９に立設された分岐フレーム４４にて支持されている。スターホイル５１及び掻き込みベルト５２は、これらの組に対応する引起ケース５０の引起タインにて引き起こされた未刈穀稈の株元部を後方に掻き込むためのものである。スターホイル５１及び掻き込みベルト５２にて掻き込まれた未刈穀稈の株元部はバリカン式の刈刃装置１３にて切断される（刈り取られる）。
【００５１】
穀稈引起装置１４とフィードチェーン５の始端部との間には、刈刃装置１３にて刈り取られた刈取穀稈をフィードチェーン５に向けて挟持搬送するための穀稈搬送装置１５が配置されている。
【００５２】
図３及び図４に詳細に示すように、穀稈搬送装置１５は、右２条分の刈取穀稈を左斜め後方に搬送する右下部搬送チェーン５３と、左２条分の刈取穀稈を右斜め後方に搬送してその株元部を右下部搬送チェーン５３の送り終端部近傍に合流させる左下部搬送チェーン５４と、４条分の刈取穀稈の穂先部を寄せ集めながら左斜め後方に搬送する上部搬送タイン５５と、右下部搬送チェーン５３の送り終端部近傍にて合流した４条分の刈取穀稈の株元部をフィードチェーン５に向けて後ろ斜め上方に搬送する縦搬送装置としての縦搬送チェーン５６と、縦搬送チェーン５６とフィードチェーン５との間で刈取穀稈の株元部（より詳しくは株元寄りの中途部）の搬送を中継する補助搬送装置としての補助搬送チェーン５７とを備えている。補助搬送チェーン５７の送り側と対峙する箇所には、４条分の刈取穀稈の株元部を補助搬送チェーン５７と共に挟持するための挟持ガイド部材６０が配置されている（図１及び図３参照）。
【００５３】
この場合、上部搬送タイン５５と縦搬送チェーン５６と補助搬送チェーン５７とは、側面視で上から、上部搬送タイン５５、補助搬送チェーン５７、縦搬送チェーン５６の順に並べて配置されている。更に詳述すると、補助搬送チェーン５７は、上部搬送タイン５５の後端部と縦搬送チェーン５６の後端部とにより上下から挟まれている。補助搬送チェーン５７の送り終端部は、フィードチェーン５との刈取穀稈の受け渡しをスムーズに行うために、フィードチェーン５の始端部に近接させている（図３及び図４参照）。
【００５４】
縦搬送チェーン５６にて横倒しの姿勢で送られてきた４条分の刈取穀稈の株元部は、補助搬送チェーン５７及び挟持ガイド部材６０にて挟持搬送され、フィードチェーン５の始端部に受け継がれる。そして、フィードチェーン５に受け継ぎ搬送された刈取穀稈の穂先部が脱穀部４における扱室内の扱胴１７にて脱穀処理される。
【００５５】
実施形態では、刈取入力パイプ２３内の刈取入力軸２８に伝達された動力が、縦伝動パイプ３４内の縦伝動軸を介して、横伝動パイプ３８内の横伝動軸に伝達されるように構成されている。そして、この横伝動軸からの動力伝達にて、引起ケース５０の引起タイン、スターホイル５１、掻き込みベルト５２、左右の下部搬送チェーン５３，５４、及び刈刃装置１３が駆動するように構成されている。
【００５６】
縦伝動パイプ３４内の縦伝動軸に伝達された動力の一部は、縦伝動軸の中途部に設けられたベベルギヤ機構を介して、前方斜め上向きに延びる縦搬送駆動軸８５（図３参照）に分岐して伝達され、この縦搬送駆動軸８５からの動力伝達にて、縦搬送チェーン５６が駆動するように構成されている。
【００５７】
一方、刈取入力軸２８に伝達された動力の一部は、刈取入力軸２８の中途部に設けられたベベルギヤ機構を介して、右斜め上向きに延びる搬送駆動軸８６（図３及び図５参照）に分岐して伝達されるように構成されている。
【００５８】
搬送駆動軸８６には、伝動プーリ及び駆動スプロケット８７（図７参照）が固着されている。搬送駆動軸８６からの動力は、伝動プーリを介して、これに巻き掛けられた上部搬送タイン５５を駆動させると共に、駆動スプロケット８７を介して、これに巻き掛けられた補助搬送チェーン５７を駆動させるように構成されている。実施形態の補助搬送チェーン５７は、図７の平面視で反時計方向に周回するように構成されている。
【００５９】
（３）．挟持ガイド部材の構成
次に、図３及び図７〜図１０を参照しながら、本願発明に係る挟持ガイド部材の構成について説明する。
【００６０】
図３に示すように、刈取部３の前部のうちフィードチェーン５寄りの一側方（実施形態では左側方）に位置した縦状パイプ４０の長手中途部には、前後に長い丸パイプ製の支持フレーム４５の前端部が取り付けられている。支持フレーム４５は、側面視で上向き凸状に湾曲又は屈曲した形態に形成されており、支持フレーム４５の後端部は、フィードチェーン５の前方で且つ補助搬送チェーン５７より上方に位置している。この支持フレーム４５の後端部に、補助搬送チェーン５７の送り側と対峙して４条分の刈取穀稈の株元部を補助搬送チェーン５７と共に挟持するための挟持ガイド部材６０が吊支されている。
【００６１】
なお、図１に示すように、支持フレーム４５には、刈取穀稈の穂先部を検出するための扱ぎ深さセンサ８８を吊支するための逆Ｕ字状のセンサーパイプ８９も取り付けられている。図３では、扱ぎ深さセンサ８８とセンサーパイプ８９との図示を省略している。
【００６２】
実施形態の挟持ガイド部材６０は、補助搬送チェーン５７の送り側に対峙したガイド杆６１と、ガイド杆６１を補助搬送チェーン５７に対して遠近動可能に支持するガイドホルダ６２とを備えており、このガイドホルダ６２が、支持フレーム４５の後端下部に溶接等にて固着された横向き開口略コ字状の受けブラケット４６に吊り下げ装着されている。
【００６３】
ガイド杆６１は、補助搬送チェーン５７の送り側に臨ませた案内アーム６３と、案内アーム６３の中途部に縦向きの枢支ピン６５にて回動可能に枢着された前後一対のスライドアーム６４とにより構成されている。案内アーム６３は、補助搬送チェーン５７の送り始端部より前方の箇所から送り終端部まで延びた（補助搬送チェーン５７の送り側の移動軌跡に沿わせた）平面視略波型の形態に形成されている（図７参照）。
【００６４】
また、案内アーム６３は、補助搬送チェーン５７における上下一対の単位歯板５７ａの間に配置されている（図９及び図１０参照）。
【００６５】
一方、ガイドホルダ６２は、前後長手で下向き開口略樋状の下ホルダ部６６と、受けブラケット４６における前後一対の縦板４７に外側から重なる一対の支持板７４を有する上向き開口略コ字状の上ホルダ部６７とを備えている。
【００６６】
下ホルダ部６６の上板は、上ホルダ部６７の底板に、補助搬送チェーン５７に遠近する左右方向に位置調節可能に取り付けられている（図８及び図９参照）。実施形態では、上ホルダ部６７の底板に、補助搬送チェーン５７に遠近する左右方向に延びる２つのガイド溝穴６８が形成されている。これら各ガイド溝穴６８には、下ホルダ部６６の上板を貫通したボルト６９が下方から挿通されており、当該ボルト６９に上方からナット７０がねじ込み被嵌されている。このため、下ホルダ部６６は、上ホルダ部６７ひいては支持フレーム４５に対して、ガイド溝穴６８のストローク（左右長さ）の範囲内において左右スライド（左右位置調節）可能で、且つ下向き抜け不能になっている。
【００６７】
下ホルダ部６６における左右一対の側板７１には、ガイド杆６１における前後一対のスライドアーム６４を、補助搬送チェーン５７に対して遠近動可能に貫通させている。各スライドアーム６４における下ホルダ部６６内の箇所には、当該スライドアーム６４と一体的に軸方向にスライドする抜け止め用のフランジ７２が取り付けられており、各スライドアーム６４の外周のうちフランジ７２と補助搬送チェーン５７から遠い方の左側板７１との間には、圧縮ねじりばね７３が被嵌されている。圧縮ねじりばね７３をフランジ７２と下ホルダ部６６の左側板７１との間で突っ張らせることにより、一対のスライドアーム６４ひいては案内アーム６３が補助搬送チェーン５７の送り側に近付くように付勢されている。
【００６８】
図８〜図１０に示すように、受けブラケット４６の両縦板４７とこれに外側から重なる上ホルダ部６７の両支持板７４とにおける補助搬送チェーン５７寄りの箇所（実施形態では右端部）は、引っ掛け式の係止手段７５を介して着脱可能に連結されている。
【００６９】
実施形態の係止手段７５は、受けブラケット４６の両縦板４７を貫通して前後外向きに延びる係止軸７６と、当該係止軸７６に引っ掛かるように上ホルダ部６７における各支持板７４の右端部に形成された外向き開口状のフック部７７（係合溝）とにより構成されている。係止軸７６は、受けブラケット４６の両縦板４７間に支持フレーム４５と略平行状な姿勢で装架されている。
【００７０】
上ホルダ部６７における両支持板７４の右端部は、外向き開口状のフック部７７を受けブラケット４６側の係止軸７６に引っ掛けることにより、係止軸７６を介して受けブラケット４６ひいては支持フレーム４５に吊支されている。このため、上ホルダ部６７ひいては挟持ガイド部材６０自体は、補助搬送チェーン５７との対峙姿勢を当該補助搬送チェーン５７における刈取穀稈の搬送方向と交差する方向、すなわち係止軸７６回りの上下方向に回動調節し得る構成になっている。
【００７１】
また、受けブラケット４６の両縦板４７と上ホルダ部６７の両支持板７４とにおける補助搬送チェーン５７から遠い箇所（実施形態では左端部）は、締結手段７８にて連結されている。
【００７２】
実施形態の締結手段７８は、受けブラケット４６における各縦板４７の左端部に内向き突設されたナット部７９と、上ホルダ部６７における各支持板７４の左端部に形成された上下長手の案内溝穴８０を介して縦板４７の各ナット部７９に外側から螺合する調節ボルト８１とを備えている。
【００７３】
上ホルダ部６７における各支持板７４に形成された案内溝穴８０は、フック部７７（又は係止軸７６）を中心とする略円弧状に形成されている。このため、前後一対の調節ボルト８１を緩めた状態で上ホルダ部６７を係止軸７６回りに上下回動させて、調節ボルト８１を案内溝穴８０に沿って相対的に移動させることにより、挟持ガイド部材６０の補助搬送チェーン５７に対する対峙姿勢を、上限位置（図１０（ａ）参照）から下限位置（図１０（ｂ）参照）までの回動ストロークθで調節し得るように構成されている。
【００７４】
換言すると、調節ボルト８１を案内溝穴８０の上下縁部に当接させることにより、上ホルダ部６７ひいては挟持ガイド部材６０の回動ストロークθが、上限位置（図１０（ａ）参照）から下限位置（図１０（ｂ）参照）までの所定角度に規制されている。
【００７５】
図１０に示す上限位置及び下限位置の状態から明らかなように、挟持ガイド部材６０の回動ストロークθ（移動調節ストローク）は、ガイド杆６１の案内アーム６３が補助搬送チェーン５７における一対の単位歯板５７ａの間に収まる大きさに設定されている。
【００７６】
図３及び図７に示すように、支持フレーム４５の中途部には、弾性を有する長板ばね製の株元押え部材８２が、挟持ガイド部材６０の下方を通って後ろ向きに延びるように取り付けられている。株元押え部材８２は、縦搬送チェーン５６及び補助搬送チェーン５７にて搬送されてきた刈取穀稈の株元部をフィードチェーン５に向けて案内（ガイド）して、当該フィードチェーン５の始端部に到着した株元部を上方から押え付けるためのものである。実施形態の株元押え部材８２は、刈取穀稈の多寡に応じてフィードチェーン５の始端部に接離する方向に弾性変形するように構成されている。
【００７７】
なお、株元押え部材８２は板ばね製に限るものではなく、刈取穀稈の多寡に応じてフィードチェーン５の始端部に接離する方向に移動可能に構成したものであればよい（例えば他の弾性体でもよいし、金属薄板とばねとを組み合わせた構成のものでもよい）。
【００７８】
（４）．作用及び効果
以上の構成によると、刈取部３におけるフィードチェーン５の前方に、前後に長い支持フレーム４５が、その後端部を補助搬送チェーン５７より上方に位置させるようにして配置されており、支持フレーム４５の後端部には、補助搬送チェーン５７に対峙して刈取穀稈の株元部を補助搬送チェーン５７と共に挟持するための挟持ガイド部材６０が吊支されているから、補助搬送チェーン５７をフィードチェーン５の始端部に近接させて配置した場合であっても、支持フレーム４５の後端はフィードチェーン５の始端部から遠ざかることになる。
【００７９】
このため、支持フレーム４５の存在が邪魔にならずに、補助搬送チェーン５７及びフィードチェーン５の始端部周辺の受け継ぎスペースを広く確保できる。従って、搬送途中の刈取穀稈の株元部が支持フレーム４５の後端に当たる（干渉する）おそれを回避して、刈取穀稈の搬送乱れや稈こぼれを抑制でき、フィードチェーン５への受け継ぎの確実性を向上できる。
【００８０】
実施形態では、支持フレーム４５の前端部が刈取部３の前部のうちフィードチェーン５寄りの一側方に位置した縦状パイプ４０の長手中途部に取り付けられており、支持フレーム４５は、側面視で上向き凸状に湾曲又は屈曲した形態に形成されているから、補助搬送チェーン５７の近傍に位置する縦搬送チェーン５６から支持フレーム４５を遠ざけて配置でき、支持フレーム４５の中途部が縦搬送チェーン５６にて搬送される刈取穀稈の株元部に干渉するのを確実に回避できる。このため、縦状パイプ４０に対する支持フレーム４５の取り付け位置が比較的低かったとしても、支持フレーム４５の存在に起因して、縦搬送チェーン５６にて搬送中の刈取穀稈が搬送乱れを起こしたり稈こぼれを生じたりするのを確実に防止できる。
【００８１】
また、支持フレーム４５の中途部には、弾性を有する長板ばね製の株元押え部材８２が挟持ガイド部材６０の下方を通って後ろ向きに延びるように取り付けられているから、縦搬送チェーン５６及び補助搬送チェーン５７にて搬送されてきた刈取穀稈の株元部は、株元押え部材８２にてフィードチェーン５に向けて案内（ガイド）され、刈取穀稈の株元部がフィードチェーン５の始端部に到着した受け継ぎ段階では、株元押え部材８２とフィードチェーン５との協働作用にて、株元部が上下から挟み付けられることになる。
【００８２】
すなわち、株元押え部材８２は、刈取穀稈のガイド（案内）機能だけでなく、フィードチェーンと協働しての挟持機能を発揮できる。このため、フィードチェーン５に刈取穀稈の株元部を受け継ぎ搬送する際に、株元部をスムーズにフィードチェーンの始端部に受け継ぎできると共に、稈こぼれを生ずるおそれを回避でき、この点でも、フィードチェーン５への受け継ぎの確実性をより一層向上できるのである。
【００８３】
更に、実施形態では、支持フレーム４５の後端部に吊支された挟持ガイド部材６０が補助搬送チェーン５７に対する対峙姿勢を補助搬送チェーン５７での搬送方向と交差する上下方向に移動調節可能となるように構成されているから、例えば支持フレーム４５に対する挟持ガイド部材６０の組み付け誤差があったとしても、補助搬送チェーン５７に対する挟持ガイド部材６０の前記上下方向の対峙位置関係を適正な状態に調節できる。このため、挟持ガイド部材６０と補助搬送チェーン５７とによる刈取穀稈の挟持能力を高い状態に維持できる。しかも、支持フレーム４５に対する挟持ガイド部材６０の組み付け精度をさほど厳しく管理する必要がなくなるから、製品歩留まりの向上にも寄与できる。
【００８４】
また、図１０に示す上限位置及び下限位置の状態から明らかなように、挟持ガイド部材６０の回動ストロークθ（移動調節ストローク）は、ガイド杆６１の案内アーム６３が補助搬送チェーン５７における一対の単位歯板５７ａの間に収まる大きさに設定されているから、挟持ガイド部材６０を、補助搬送チェーン５７に対して、挟持能力が効果的に発揮される対峙位置に簡単に移動調節でき、挟持ガイド部材６０の位置調節作業がし易いという効果も奏する。
【００８５】
実施形態では、受けブラケット４６の両縦板４７とこれに外側から重なる上ホルダ部６７の両支持板７４とにおける補助搬送チェーン５７寄りの箇所は、引っ掛け式の係止手段７５を介して着脱可能に連結されている一方、補助搬送チェーン５７から遠い箇所は、上ホルダ部６７の両支持板７４に形成された上下長手の案内溝穴８０に沿って相対的に移動可能な締結手段７８にて連結されている。
【００８６】
このため、受けブラケット４６の両縦板４７及び上ホルダ部６７の両支持板７４における補助搬送チェーン５７寄りの箇所は、抜け止め用のピンやナットを使わなくてもワンタッチ的に着脱できる。
【００８７】
また、ガイドホルダ６２ひいては挟持ガイド部材６０の姿勢調節は、調節ボルト８１を緩めた状態で上ホルダ部６７を係止軸７６回りに上下回動させて、調節ボルト８１を案内溝穴８０に沿って相対的に移動させればよい。
【００８８】
従って、挟持ガイド部材６０のガイドホルダ６２を、支持フレーム４５の受けブラケット４６に、補助搬送チェーン５７での搬送方向と交差する上下方向に姿勢調節可能に取り付けるものでありながら、当該ガイドホルダ６２を受けブラケット４６に着脱・位置調節する手間を軽減でき、オペレータの作業負担が少なくて取り扱いがし易いのである。
【００８９】
（５）．その他
上記した実施形態の各構成は図示のものに限定されるものではなく、本願発明の趣旨を逸脱しない範囲で種々変更が可能である。
【図面の簡単な説明】
【００９０】
【図１】コンバインの側面図である。
【図２】コンバインの平面図である。
【図３】刈取部の概略側面図である。
【図４】刈取部の概略平面図である。
【図５】刈取部の支持構造を示す概略正面図である。
【図６】刈取部の支持構造を示す概略平面図である。
【図７】挟持ガイド部材と補助搬送チェーンとの平面図である。
【図８】ガイドホルダの一部切り欠き平面図である。
【図９】補助搬送チェーンと挟持ガイド部材との一部切り欠き側面図である。
【図１０】（ａ）はガイド杆が上限位置にあるときの挟持ガイド部材と補助搬送チェーンとの側面図、（ｂ）はガイド杆が下限位置にあるときの挟持ガイド部材と補助搬送チェーンとの側面図である。
【符号の説明】
【００９１】
１  走行機体
３  刈取部
４  脱穀部
５  フィードチェーン
１３  刈刃装置
１４  穀稈引起装置
１５  穀稈搬送装置
４０  縦フレームとしての縦状パイプ
４５  支持フレーム
４６  受けブラケット
４７  受けブラケットの縦板
５０  引起ケース
５１  スターホイル
５２  掻き込みベルト
５３  右下部搬送チェーン
５４  左下部搬送チェーン
５５  上部搬送タイン
５６  縦搬送装置としての縦搬送チェーン
５７  補助搬送装置としての補助搬送チェーン
６０  挟持ガイド部材
６１  ガイド杆
６２  ガイドホルダ
６３  案内アーム
６４  スライドアーム
６５  枢支ピン
６６  下ホルダ部
６７  上ホルダ部
７１  下ホルダ部の側板
７２  フランジ
７３  圧縮ねじりばね
７４  上ホルダ部の支持板
７５  係止手段
７６  係止軸
７７  フック部
７８  締結手段
７９  ナット部
８０  案内溝穴
８１  調節ボルト
８２  株元押え部材
【図１】
2008000017.tif 000003
【図２】
2008000017.tif 000004
【図３】
2008000017.tif 000005
【図４】
2008000017.tif 000006
【図５】
2008000017.tif 000007
【図６】
2008000017.tif 000008
【図７】
2008000017.tif 000009
【図８】
2008000017.tif 000010
【図９】
2008000017.tif 000011
【図１０】
2008000017.tif 000012